(57)【要約】【課題】本発明は、頭部を開閉でき、且つ再封緘が完全で手組み可能な紙箱を提供する。【解決手段】表面板（１）の一側に糊代片（３）を、他側に第１側面板（４）、裏面板（２）、第２側面板（５）を連設し、また前記表面板（１）の上端にストッパー片（６）を連設し、下端に下蓋片（７）、差し込み片（８）を連設し、また前記第１側面板（４）および前記第２側面板（５）の下端にフラップ片（９）を連設してなる箱本体（Ａ）と、該箱本体（Ａ）の前記裏面板（２）の上端に上蓋（１０）、前側外壁（１１）、左右の上端縁に係止用突起部（１７）を有し、且つロック機構穴（１８）を有する前側内壁（１２）、上蓋補強内壁（１３）を連設し、前記上蓋（１０）の両側端に両側壁（１４）を連設し、該両側壁（１４）の上端に上部左側端縁に係止用切り込み部（１６）を有する係合片（１５）を連設してなる開閉頭部（Ｂ）とを連設してなることを特徴とする紙箱である。【選択図】図１
2008247398.tif 000002
【特許請求の範囲】
【請求項１】
表面板の一方側に糊代片を、他方側に第１側面板、裏面板、第２側面板を折り目線を介してそれぞれ連設し、また前記表面板の上端にストッパー片を折り目線を介して連設し、下端に下蓋片、差し込み片を折り目線を介してそれぞれ連設し、また前記第１側面板および前記第２側面板の下端に耳フラップを折り目線を介してそれぞれ連設してなる箱本体と、該箱本体の前記裏面板の上端に上蓋、前側外壁、左右の上端縁に係止用突起部、を有し、且つロック機構穴を有する前側内壁、上蓋補強内壁を折り目線を介してそれぞれ連設し、前記上蓋の両側端に前記第１側面板と前記第２側面板よりもやや広い左右幅の両側壁を折り目線を介してそれぞれ連設し、該両側壁の上端に上部左側端縁に係止用切り込み部を有する係合片を折り目線を介してそれぞれ連設してなる開閉頭部とを折り目線を介して連設してなることを特徴とする紙箱。
【発明の詳細な説明】
【技術分野】
【０００１】
本発明は、タバコ、キャラメルやチョコレート菓子等を収納する紙箱として、頭部を自在に開閉でき、且つ再封緘が完全で容易に手組み可能な紙箱に関するものである。
【背景技術】
【０００２】
従来、タバコ、キャラメルやチョコレート菓子等を収納する紙箱形態の一つとして、特に、紙箱の頭部を自在に開閉ができる紙箱の提案が広く行なわれている。例えば、内外二重の箱からなるもの（例えば、特許文献１、特許文献２参照。）や、一重のもの（例えば、特許文献３参照。）があるが、前者は２ピースの構成であるため、紙を多く使用するのでコスト高になり、またサック貼機等の機械で自動的に製造することが困難であり、さらに再封緘性が劣る欠点がある。次に、後者は１枚のブランク形態が複雑であるため、製造工程も複雑で製造コストが高くなり、また再封緘性も不完全である。
【０００３】
そこでこれらの問題点を解決する方法として、１枚のブランクより全体を構成し、且つ頭部が濫りに開口することがなく、また全体として極めて構造が簡単で、従来のように特殊な高価な機械を使用せずに自動的に製造し、且つ内部に商品を収納できる紙箱（特許文献３、特許文献４参照。）が提案されている。
【０００４】
しかしながら、これらの紙箱は、いずれも、上蓋に連設しているロック機構が単に前板に連設しているストッパー片に単に引っ掛かってロックされているので再封緘性が不完全である。
【０００５】
以下に先行技術文献を示す。
【特許文献１】実公昭４７−３４５７８号公報
【特許文献２】実開昭５０−１５４３２３号公報
【特許文献３】特開昭５１−１４４７５号公報
【特許文献４】実公昭５８−４６０１８号公報
【特許文献５】実公昭５８−５５１３７号公報
【発明の開示】
【発明が解決しようとする課題】
【０００６】
本発明は、このような従来技術の問題点を解決しようとするものであり、タバコ、キャラメルやチョコレート菓子等を収納する紙箱として、頭部を自在に開閉でき、且つ再封緘が完全で容易に手組み可能な紙箱を提供することを目的とする。
【課題を解決するための手段】
【０００７】
本発明は、上記の課題を解決するために成されたものであり、本発明の請求項１に係る発明は、表面板（１）の一方側に糊代片（３）を、他方側に第１側面板（４）、裏面板（２）、第２側面板（５）を折り目線（ａ、ｂ、ｃ、ｄ）を介してそれぞれ連設し、また前記表面板（１）の上端にストッパー片（６）を折り目線（ｅ）を介して連設し、下端に下蓋片（７）、差し込み片（８）を折り目線（ｆ、ｇ）を介してそれぞれ連設し、また前記第１側面板（４）および前記第２側面板（５）の下端に耳フラップ（９、９）を折り目線（ｈ、ｉ）を介してそれぞれ連設してなる箱本体（Ａ）と、該箱本体（Ａ）の前記裏面板（２）の上端に上蓋（１０）、前側外壁（１１）、左右の上端縁に係止用突起部（１７、１７）を有し、且つロック機構穴（１８）を有する前側内壁（１２）、上蓋補強内壁（１３）を折り目線（ｋ、ｌ、ｍ）を介してそれぞれ連設し、前記上蓋（１０）の両側端に前記第１側面板（４）と前記第２側面板（５）よりもやや広い左右幅の両側壁（１４、１４）を折り目線（ｏ、ｐ）を介してそれぞれ連設し、該両側壁（１４、１４）の上端に上部左側端縁に係止用切り込み部（１６、１６）を有する係合片（１５、１５）を折り目線（ｑ、ｒ）を介してそれぞれ連設してなる開閉頭部（Ｂ）とを折り目線（ｊ）を介して連設してなることを特徴とする紙箱である。
【発明の効果】
【０００８】
本発明は、表面板の一方側に糊代片を、他方側に第１側面板、裏面板、第２側面板を折り目線を介してそれぞれ連設し、また前記表面板の上端にストッパー片を折り目線を介して連設し、下端に下蓋片、差し込み片を折り目線を介してそれぞれ連設し、また前記第１側面板および前記第２側面板の下端に耳フラップを折り目線を介してそれぞれ連設してなる箱本体と、該箱本体の前記裏面板の上端に上蓋、前側外壁、左右の上端縁に係止用突起部を有し、且つロック機構穴を有する前側内壁、上蓋補強内壁を折り目線を介してそれぞれ連設し、前記上蓋の両側端に前記第１側面板と前記第２側面板よりもやや広い左右幅の両側壁を折り目線を介してそれぞれ連設し、該両側壁の上端に上部左側端縁に係止用切り込み部を有する係合片を折り目線を介してそれぞれ連設してなる開閉頭部とを折り目線を介して連設してなることにより、容易に手組み可能な紙箱を製造することができ、機能面では、頭部を自在に開閉でき、且つ再封緘が完全となり、中身の飛び出しもなく、また封緘時にクリック感がもたらされる。さらに製造面では、１台の既存のサック貼り機で対応できるので、設備コスト及び設置スペースの削減が可能となり、極めて安価な紙箱を製造することができる。
【発明を実施するための最良の形態】
【０００９】
本発明の実施の形態を図１から図４に基づいて詳細に説明するが、特にこれに制約されるものではない。
【００１０】
図１は本発明に係る紙箱のブランクの１実施例を示す平面図であり、図２は図１のブランクを組み立てた紙箱を開封状態で示す斜視図であり、図３は本発明に係る紙箱のブランクのその他の実施例を示す平面図であり、図４は図２のブランクを組み立てた紙箱を開封状態で示す斜視図である。
【００１１】
本発明の１実施例の紙箱は、図１に示すように、表面板（１）の一方側に糊代片（３）を、他方側に第１側面板（４）、裏面板（２）、第２側面板（５）を折り目線（ａ、ｂ、ｃ、ｄ）を介してそれぞれ連設し、また前記表面板（１）の上端にストッパー片（６）を折り目線（ｅ）を介して連設し、下端に下蓋片（７）、差し込み片（８）を折り目線（ｆ、ｇ）を介してそれぞれ連設し、また前記第１側面板（４）および前記第２側面板（５）の下端に耳フラップ（９、９）を折り目線（ｈ、ｉ）を介してそれぞれ連設してなる箱本体（Ａ）と、該箱本体（Ａ）の前記裏面板（２）の上端に上蓋（１０）、前側外壁（１１）、左右の上端縁に係止用突起部（１７、１７）を有し、且つロック機構穴（１８）を有する前側内壁（１２）、上蓋補強内壁（１３）を折り目線（ｋ、ｌ、ｍ）を介してそれぞれ連設し、前記上蓋（１０）の両側端に前記第１側面板（４）と前記第２側面板（５）よりもやや広い左右幅の両側壁（１４、１４）を折り目線（ｏ、ｐ）を介してそれぞれ連設し、該両側壁（１４、１４）の上端に上部左側端縁に係止用切り込み部（１６、１６）を有する係合片（１５、１５）を折り目線（ｑ、ｒ）を介してそれぞれ連設してなる開閉頭部（Ｂ）とを折り目線（ｊ）を介して連設したブランクを作製する。
【００１２】
この１実施例のブランクを用いて組み立てるのには、まず、サック貼り工程で、前記ブランクの糊代片（３）外面に接着剤を塗布後、該糊代片（３）と折り目線（ａ）を介して連設されている表面板（１）とを折り目線（ｂ）に沿って、該ブランクの第１側面板（４）と裏面板（２）との内面上に折り重ね、次に、前記裏面板（２）に折り目線（ｄ）を介して連設されている第２側面板（５）内面を前記糊代片（３）の外面上に折り目線（ｄ）に沿って、折り重ね接合して、箱本体（Ａ）のブランクをスリーブ状にする。
【００１３】
次に、前記スリーブ状の箱本体の第１側面板（４）と第２側面板（５）とを立ち上げケース状にした後、該箱本体（Ａ）の裏面板（２）の上端に折り目線（ｊ）を介して連設している開閉頭部（Ｂ）を手で組み立てる。
【００１４】
まず、該開閉頭部（Ｂ）の上蓋（１０）の左右に折り目線（ｏ、ｐ）を介して連設している、上部左側端縁に係止用切り込み部（１６、１６）を有する係合片（１５、１５）を折り目線（ｑ、ｒ）を介してそれぞれ連設している両側壁（１４、１４）を折り目線（ｏ、ｐ）に沿って、それぞれ内側に直角に折り曲げ、次に、前記係合片（１５、１５）を折り目線（ｑ、ｒ）に沿って、それぞれ内側に直角に折り曲げ、前記係止用切り込み部（１６、１６）同士を係合する。
【００１５】
次に、前記上蓋（１０）に折り目線（ｋ）を介して連設している前側外壁（１１）を該折り目線（ｋ）に沿って、内側に直角に折り曲げ、前記係合片（１５、１５）上に重ねる。
【００１６】
次に、前記前側外壁（１１）に折り目線（ｌ）を介して連設している左右の上端縁に係止用突起部（１７、１７）を有し、且つロック機構穴（１８）を有する前側内壁（１２）を該折り目線（ｌ）に沿って、内側に１８０度折り曲げ、前記前側外壁（１１）上に重ね、同時に該前側内壁（１２）に折り目線（ｍ）を介して連設している上蓋補強内壁（１３）を前記上蓋（１０）の内面上に重ねて、前記左右の係止用突起部（１７、１７）を前記両側壁（１４、１４）と前記係合片（１５、１５）との間隙に係止して開閉頭部（Ｂ）を組み立てる。
【００１７】
次に、前記箱本体（Ａ）の頂部に前記開閉頭部（Ｂ）を折り目線（ｊ）に沿って、折り曲げて被せて閉鎖し、該箱本体（Ａ）の底部から中身を充填後、該箱本体（Ａ）の第１側面板（４）および前記第２側面板（５）の下端に折り目線（ｈ、ｉ）を介して連設されている耳フラップ（９、９）を該折り目線（ｈ、ｉ）に沿って内側に直角に折り曲げ、該箱本体（Ａ）の表面板（１）下端に折り目線（ｆ）を介して連設されている下蓋片（７）を内側に直角に折り曲げ、さらに前記下蓋片（７）の下端に折り目線（ｇ）を介して連設されている差し込み片（８）を内側に直角に折り曲げて該箱本体（Ａ）の底部に差込み、図２に示すように、箱本体（Ａ）と開閉頭部（Ｂ）とからなる中身（図示せず）が収納された紙箱（開封状態）を完成させる。
【００１８】
このようにして製造された本発明に係る１実施例の紙箱の特徴的な第１のポイントは、従来のように上蓋に連設しているロック機構が単に前板に連設しているストッパー片に単に引っ掛かってロックされているのでなく、図２に示す、ストッパー片（６）がロック機構穴（１８）を有する前側内壁（１２）と前側外壁（１１）の間隙にロック機構穴（１８）から入り込みロックされるので完全に再封緘されることである。したがって、中身の飛び出しもなく、また封緘時にクリック感がもたらされる。
【００１９】
また、第２のポイントは、１台の既存のサック貼り機で対応できるので、設備コスト及び設置スペースの削減が可能となり、極めて安価な紙箱を製造することができる。
【００２０】
次に、本発明に係るその他の実施例の紙箱は、図３に示すように、表面板（１）の一方側に糊代片（３）を、他方側に第１側面板（４）、裏面板（２）、第２側面板（５）を折り目線（ａ、ｂ、ｃ、ｄ）を介してそれぞれ連設し、また前記表面板（１）の上端にストッパー片（６）（尚、該ストッパー片の上縁端が前記糊代片（３）、第１側面板（４）、裏面板（２）、第２側面板（５）と同一ラインの位置に設ける。）を折り目線（ｅ）を介して連設し、下端に下蓋片（７）、差し込み片（８）を折り目線（ｆ、ｇ）を介してそれぞれ連設し、また前記第１側面板（４）および前記第２側面板（５）の下端に耳フラップ（９、９）を折り目線（ｈ、ｉ）を介してそれぞれ連設してなる箱本体（Ａ）と、該箱本体（Ａ）の前記裏面板（２）の上端に上蓋（１０）、前側外壁（１１）、左右の上端縁に係止用突起部（１７、１７）を有し、且つロック機構穴（１８）を有する前側内壁（１２）、上蓋補強内壁（１３）を折り目線（ｋ、ｌ、ｍ）を介してそれぞれ連設し、前記上蓋（１０）の両側端に前記第１側面板（４）と前記第２側面板（５）よりもやや広い左右幅の両側壁（１４、１４）を折り目線（ｏ、ｐ）を介してそれぞれ連設し、該両側壁（１４、１４）の上端に上部左側端縁に係止用切り込み部（１６、１６）を有する係合片（１５、１５）を折り目線（ｑ、ｒ）を介してそれぞれ連設してなる開閉頭部（Ｂ）とを折り目線（ｊ）を介して連設してなる紙箱である。
【００２１】
このその他の実施例のブランクを用いて組み立てるのには、まず、サック貼り工程で、前記ブランクの糊代片（３）外面に接着剤を塗布後、該糊代片（３）と折り目線（ａ）を介して連設されている表面板（１）とを折り目線（ｂ）に沿って、該ブランクの第１側面板（４）と裏面板（２）との内面上に折り重ね、次に、前記裏面板（２）に折り目線（ｄ）を介して連設されている第２側面板（５）内面を前記糊代片（３）の外面上に折り目線（ｄ）に沿って、折り重ね接合して、箱本体（Ａ）をスリーブ状にする。
【００２２】
次に、前記スリーブ状の箱本体の第１側面板（４）と第２側面板（５）とを立ち上げケース状にした後、該箱本体（Ａ）の裏面板（２）の上端に折り目線（ｊ）を介して連設している開閉頭部（Ｂ）を手で組み立てる。
【００２３】
まず、該開閉頭部（Ｂ）の上蓋（１０）の左右に折り目線（ｏ、ｐ）を介して連設している、上部左側端縁に係止用切り込み部（１６、１６）を有する係合片（１５、１５）を折り目線（ｑ、ｒ）を介してそれぞれ連設している両側壁（１４、１４）を折り目線（ｏ、ｐ）に沿って、それぞれ内側に直角に折り曲げ、次に、前記係合片（１５、１５）を折り目線（ｑ、ｒ）に沿って、それぞれ内側に直角に折り曲げ、前記係止用切り込み部（１６、１６）同士を係合する。
【００２４】
次に、前記上蓋（１０）に折り目線（ｋ）を介して連設している前側外壁（１１）を折り目線（ｋ）に沿って、内側に直角に折り曲げ、前記係合片（１５、１５）上に重ねる。
【００２５】
次に、前記前側外壁（１１）に折り目線（ｌ）を介して連設している左右の上端縁に係止用突起部（１７、１７）を有し、且つロック機構穴（１８）を有する前側内壁（１２）を折り目線（ｌ）に沿って、内側に１８０度折り曲げ、前記前側外壁（１１）上に重ね、同時に前側内壁（１２）に折り目線（ｍ）を介して連設している上蓋補強内壁（１３）を前記上蓋（１０）の内面上に重ねて、前記左右の係止用突起部（１７、１７）を前記両側壁（１４、１４）と前記係合片（１５、１５）との間隙に係止して開閉頭部（Ｂ）を組み立てる。
【００２６】
次に、前記箱本体（Ａ）の頂部に前記開閉頭部（Ｂ）を折り目線（ｊ）に沿って、折り曲げて被せて閉鎖し、該箱本体（Ａ）の底部から中身を充填後、該箱本体（Ａ）の第１側面板（４）および前記第２側面板（５）の下端に折り目線（ｈ、ｉ）を介して連設されている耳フラップ（９、９）を折り目線（ｈ、ｉ）に沿って内側に直角に折り曲げ、該箱本体（Ａ）の表面板（１）下端に折り目線（ｆ）を介して連設されている下蓋片（７）を内側に直角に折り曲げ、さらに前記下蓋片（７）の下端に折り目線（ｇ）を介して連設されている差し込み片（８）を内側に直角に折り曲げて該箱本体（Ａ）の底部に差込み、箱本体（Ａ）と開閉頭部（Ｂ）とからなる中身が収納された紙箱を完成させる。
【００２７】
このようにして製造された本発明に係るその他の実施例の紙箱の特徴的な第１のポイントは、従来のように上蓋に連設しているロック機構が単に前板に連設しているストッパー片に単に引っ掛かってロックされているのでなく、図４に示す、ストッパー片（６）がロック機構穴（１８）を有する前側内壁（１２）と前側外壁（１１）の間隙にロック機構穴（１８）から入り込みロックされているので完全に再封緘されることである。したがって、中身の飛び出しもなく、また封緘時にクリック感がもたらされる。
【００２８】
また、第２のポイントは、ストッパー片（６）の位置が該箱本体（Ａ）の表面板（１）の上端より、一段下がった所に設けられているので１実施例の紙箱より開口部が拡大して中身の取り出しが容易になる。
【００２９】
さらに、第３のポイントは、１台の既存のサック貼り機で対応できるので、設備コスト及び設置スペースの削減が可能となり、極めて安価な紙箱を製造することができる。
【００３０】
次に、本発明に係る紙箱のブランク基材には、広範囲の板紙の使用が可能であるが、剛度が有り、耐折強度の強い、コートボール、マニラボール、アイボリー、カード紙などを用いることができる。また、長期にわたり使用する場合には、折り目線や切れ目線等からの破壊などを起きにくくするために、ポリ塩化ビニル、ポリプロピレン、ポリエチレン、ポリエチレンテレフタレート、ポリカーボネート、ポリスチレン等のフィルムを板紙にラミネートすることが好ましい。また、ラミネートによって防湿性の向上を図ることもできる。
【００３１】
さらに、板紙に代わって、プラスチックシートをブランク基材に使用してもよい。例えば、タルク等のフィラーを混入して不透明にしたポリプロピレンシート、アモルファスポリエチレンテレフタレート、等のシートをそのままブランク基材として使用することができる。また、内容物によっては透明プラスチックシートを使用して、中身を見せるようなスケルトン型にしてもよい。
【００３２】
また、ブランク基材への印刷には、オフセット印刷、グラビア印刷、シルクスクリーン印刷等のいかなる周知の印刷方法を用いてもよい。また、エンボス、箔押し、ＯＰ二スコート等の後加工を行なってもよい。これら印刷及び後加工は板紙あるいはプラスチックのシート状での加工であるため美しい、迫力のあるシャープな仕上がりとなる。尚、本発明による紙箱には、密封性を上げ、また塵埃の混入防止のため、成形充填後に紙箱全体を防塵性プラスチックフィルムでオーバーラップすることが好ましい。
【００３３】
前記接着剤としては、酢酸ビニル樹脂、アクリル樹脂、エチレン−酢酸ビニル樹脂等のエマルジョンタイプの合成樹脂接着剤や膠等の天然樹脂接着剤、ワックス、ＥＶＡ、ＥＥＡ、石油樹脂、低分子ポリエチレン等を主成分とするホットメルト接着剤等を使用し、サック貼機によって塗布することができる。
【００３４】
また、前記接着剤の替わりにヒートシール性を有するコート剤を用いる場合には、板紙等の基材面に溶剤性または水溶性のポリエチレンテレフタレート樹脂（ＰＥＴ）、エチレン・酢酸ビニル共重合体樹脂、（ＥＶＡ）、アクリル系樹脂、エチレン・ビニルアルコール共重合体樹脂（ＥＶＯＨ）等のコート剤を、あらかじめグラビアロール等によりパターンコートしておくことが好ましい。
【００３５】
前記熱可塑性樹脂を用いる場合には、あらかじめ、板紙等の基材両面に低密度ポリエチレン樹脂（ＬＤＰＥ）、直鎖状低密度ポリエチレン樹脂（Ｌ−ＬＤＰＥ）、アイオノマー樹脂（ＩＯ）、エチレン−酢酸ビニル共重合体樹脂（ＥＶＡ）、ポリプロピレン樹脂（ＰＰ）等を押出しラミネーション（エキストルージョンラミネーション）装置でラミネーシ
ョンした両面樹脂加工板紙を用いて、所定の接合部をヒートシールロールやヒートシールバー等を用いてヒートシール加工により形成する。
【００３６】
次に、前記折り目線や切れ目線を形成する方法は、一般的に紙器加工に使用されている罫線刃と切れ刃を埋め込んだ抜型を使用することができる。
【００３７】
一般的に、紙器加工に使用されている抜型は、雄型と雌型から構成されており、雄型はベニヤ合板に函の形状に合せて、レーザー切断装置で溝を切り込み、紙に押し筋による折り目線をつける罫線刃と紙に切れ目線をつける切刃及び紙を仕上げ切断する切刃を植め込んである。
【００３８】
一方の雌型は、鉄板（面板またはカッティングプレートと呼ぶ）上に、堅い紙であるプレスボードを貼り付け、罫線刃の当たる部分に溝を作製する。
【００３９】
紙器加工では、このような抜型を平板打抜機に取り付け、この平板打抜機の雄・雌の抜型の間にあらかじめ印刷された紙を送り込み、平圧式で加圧して打ち抜きを行い、罫線刃による折り目線つけ、切刃による切れ目線つけ、及び切刃による仕上げ切断を同時に加工して、所定の寸法・形状のブランクを作製し、サック貼機により、折り目線で折り畳んで貼り合わせを行う。
【実施例】
【００４０】
以下に、本発明の具体的な実施例を挙げて、さらに詳しく説明する。
【００４１】
＜実施例１＞
本発明に係る紙箱は、坪量が３１０ｇ／ｍ2のアイボリーを使用し、該紙箱の仕上がり寸法を幅５５ｍｍ×高さ８６ｍｍ×奥行２４ｍｍに設定した。
【００４２】
図１に示すように、表面板（１）の一方側に糊代片（３）を、他方側に第１側面板（４）、裏面板（２）、第２側面板（５）を折り目線（ａ、ｂ、ｃ、ｄ）を介してそれぞれ連設し、また前記表面板（１）の上端にストッパー片（６）を折り目線（ｅ）を介して連設し、下端に下蓋片（７）、差し込み片（８）を折り目線（ｆ、ｇ）を介してそれぞれ連設し、また前記第１側面板（４）および前記第２側面板（５）の下端にフラップ片（９、９）を折り目線（ｈ、ｉ）を介してそれぞれ連設してなる箱本体（Ａ）と、該箱本体（Ａ）の前記裏面板（２）の上端に上蓋（１０）、前側外壁（１１）、左右の上端縁に係止用突起部（１７、１７）を有し、且つロック機構穴（１８）を有する前側内壁（１２）、上蓋補強内壁（１３）を折り目線（ｋ、ｌ、ｍ）を介してそれぞれ連設し、前記上蓋（１０）の両側端に前記第１側面板（４）と前記第２側面板（５）よりもやや広い左右幅の両側壁（１４、１４）を折り目線（ｏ、ｐ）を介してそれぞれ連設し、該両側壁（１４、１４）の上端に上部左側端縁に係止用切り込み部（１６、１６）を有する係合片（１５、１５）を折り目線（ｑ、ｒ）を介してそれぞれ連設してなる開閉頭部（Ｂ）とを折り目線（ｊ）を介して連設したブランクを作製した。
【００４３】
次に、このブランクの糊代片（３）外面に酢酸ビニル樹脂のエマルジョンタイプ接着剤を塗布後、該糊代片（３）と折り目線（ａ）を介して連設されている表面板（１）とを折り目線（ｂ）に沿って、該ブランクの第１側面板（４）と裏面板（２）との内面上に折り重ね、次に、前記裏面板（２）に折り目線（ｄ）を介して連設されている第２側面板（５）内面を前記糊代片（３）の外面上に折り目線（ｄ）に沿って、折り重ね接合して、スリーブ状にした。
【００４４】
次に、前記スリーブ状の箱本体の第１側面板（４）と第２側面板（５）とを立ち上げケ
ース状にした後、該箱本体（Ａ）の裏面板（２）の上端に折り目線（ｊ）を介して連設している開閉頭部（Ｂ）を手で組み立てた。
【００４５】
まず、該開閉頭部（Ｂ）の上蓋（１０）の左右に折り目線（ｏ、ｐ）を介して連設している、上部左側端縁に係止用切り込み部（１６、１６）を有する係合片（１５、１５）を折り目線（ｑ、ｒ）を介してそれぞれ連設している両側壁（１４、１４）を折り目線（ｏ、ｐ）に沿って、それぞれ内側に直角に折り曲げ、次に、前記係合片（１５、１５）を折り目線（ｑ、ｒ）に沿って、それぞれ内側に直角に折り曲げ、前記係止用切り込み部（１６、１６）同士を係合した。
【００４６】
次に、前記上蓋（１０）に折り目線（ｋ）を介して連設している前側外壁（１１）を該折り目線（ｋ）に沿って、内側に直角に折り曲げ、前記係合片（１５、１５）上に重ねた。
【００４７】
次に、前記前側外壁（１１）に折り目線（ｌ）を介して連設している左右の上端縁に係止用突起部（１７、１７）を有し、且つロック機構穴（１８）を有する前側内壁（１２）を該折り目線（ｌ）に沿って、内側に１８０度折り曲げ、前記前側外壁（１１）上に重ね、同時に該前側内壁（１２）に折り目線（ｍ）を介して連設している上蓋補強内壁（１３）を前記上蓋（１０）の内面上に重ねて、前記左右の係止用突起部（１７、１７）を前記両側壁（１４、１４）と前記係合片（１５、１５）との間隙に係止して開閉頭部（Ｂ）を組み立てた。
【００４８】
次に、前記箱本体（Ａ）の頂部に前記開閉頭部（Ｂ）を折り目線（ｊ）に沿って、折り曲げて被せて閉鎖し、該箱本体（Ａ）の底部からタバコを充填後、該箱本体（Ａ）の第１側面板（４）および前記第２側面板（５）の下端に折り目線（ｈ、ｉ）を介して連設されている耳フラップ（９、９）を折り目線（ｈ、ｉ）に沿って内側に直角に折り曲げ、該箱本体（Ａ）の表面板（１）下端に折り目線（ｆ）を介して連設されている下蓋片（７）を内側に直角に折り曲げ、さらに前記下蓋片（７）の下端に折り目線（ｇ）を介して連設されている差し込み片（８）を内側に直角に折り曲げて該箱本体（Ａ）の底部に差込み、図２に示すように、箱本体（Ａ）と開閉頭部（Ｂ）とからなるタバコ（図示せず）が収納された紙箱（開封状態）を完成させた。
【００４９】
本発明の紙箱の再封緘性を評価したところ、ストッパー片（６）がロック機構穴（１８）を有する前側内壁（１２）と前側外壁（１１）の間隙にロック機構穴（１８）から入り込みロックされ完全に再封緘された。したがって、中身の飛び出しもなく、また封緘時にクリック感がもたらされた。
【００５０】
＜実施例２＞
本発明に係る紙箱は、坪量が３１０ｇ／ｍ2のアイボリーを使用し、該紙箱の仕上がり寸法を幅５５ｍｍ×高さ８６ｍｍ×奥行２４ｍｍに設定した。
【００５１】
図３に示すように、表面板（１）の一方側に糊代片（３）を、他方側に第１側面板（４）、裏面板（２）、第２側面板（５）を折り目線（ａ、ｂ、ｃ、ｄ）を介してそれぞれ連設し、また前記表面板（１）の上端にストッパー片（６）（尚、該ストッパー片の上縁端が前記糊代片（３）、第１側面板（４）、裏面板（２）、第２側面板（５）と同一ラインの位置に設けた。）を折り目線（ｅ）を介して連設し、下端に下蓋片（７）、差し込み片（８）を折り目線（ｆ、ｇ）を介してそれぞれ連設し、また前記第１側面板（４）および前記第２側面板（５）の下端に耳フラップ（９、９）を折り目線（ｈ、ｉ）を介してそれぞれ連設してなる箱本体（Ａ）と、該箱本体（Ａ）の前記裏面板（２）の上端に上蓋（１０）、前側外壁（１１）、左右の上端縁に係止用突起部（１７、１７）を有し、且つロック機構穴（１８）を有する前側内壁（１２）、上蓋補強内壁（１３）を折り目線（ｋ、ｌ、ｍ）を介してそれぞれ連設し、前記上蓋（１０）の両側端に前記第１側面板（４）と前記第２側面板（５）よりもやや広い左右幅の両側壁（１４、１４）を折り目線（ｏ、ｐ）を介してそれぞれ連設し、該両側壁（１４、１４）の上端に上部左側端縁に係止用切り込み部（１６、１６）を有する係合片（１５、１５）を折り目線（ｑ、ｒ）を介してそれぞれ連設してなる開閉頭部（Ｂ）とを折り目線（ｊ）を介して連設したブランクを作製した。
【００５２】
次に、このブランクの糊代片（３）外面に酢酸ビニル樹脂のエマルジョンタイプ接着剤を塗布後、該糊代片（３）と折り目線（ａ）を介して連設されている表面板（１）とを折り目線（ｂ）に沿って、該ブランクの第１側面板（４）と裏面板（２）との内面上に折り重ね、次に、前記裏面板（２）に折り目線（ｄ）を介して連設されている第２側面板（５）内面を前記糊代片（３）の外面上に折り目線（ｄ）に沿って、折り重ね接合して、スリーブ状にした。
【００５３】
次に、前記スリーブ状の箱本体の第１側面板（４）と第２側面板（５）とを立ち上げケース状にした後、該箱本体（Ａ）の裏面板（２）の上端に折り目線（ｊ）を介して連設している開閉頭部（Ｂ）を手で組み立てた。
【００５４】
まず、該開閉頭部（Ｂ）の上蓋（１０）の左右に折り目線（ｏ、ｐ）を介して連設している、上部左側端縁に係止用切り込み部（１６、１６）を有する係合片（１５、１５）を折り目線（ｑ、ｒ）を介してそれぞれ連設している両側壁（１４、１４）を折り目線（ｏ、ｐ）に沿って、それぞれ内側に直角に折り曲げ、次に、前記係合片（１５、１５）を折り目線（ｑ、ｒ）に沿って、それぞれ内側に直角に折り曲げ、前記係止用切り込み部（１６、１６）同士を係合した。
【００５５】
次に、前記上蓋（１０）に折り目線（ｋ）を介して連設している前側外壁（１１）を該折り目線（ｋ）に沿って、内側に直角に折り曲げ、前記係合片（１５、１５）上に重ねた。
【００５６】
次に、前記前側外壁（１１）に折り目線（ｌ）を介して連設している左右の上端縁に係止用突起部（１７、１７）を有し、且つロック機構穴（１８）を有する前側内壁（１２）を折り目線（ｌ）に沿って、内側に１８０度折り曲げ、前記前側外壁（１１）上に重ね、同時に前側内壁（１２）に折り目線（ｍ）を介して連設している上蓋補強内壁（１３）を前記上蓋（１０）の内面上に重ねて、前記左右の係止用突起部（１７、１７）を前記両側壁（１４、１４）と前記係合片（１５、１５）との間隙に係止して開閉頭部（Ｂ）を組み立てた。
【００５７】
次に、前記箱本体（Ａ）の頂部に前記開閉頭部（Ｂ）を折り目線（ｊ）に沿って、折り曲げて被せて閉鎖し、該箱本体（Ａ）の底部からタバコを充填後、該箱本体（Ａ）の第１側面板（４）および前記第２側面板（５）の下端に折り目線（ｈ、ｉ）を介して連設されている耳フラップ（９、９）を折り目線（ｈ、ｉ）に沿って内側に直角に折り曲げ、該箱本体（Ａ）の表面板（１）下端に折り目線（ｆ）を介して連設されている下蓋片（７）を内側に直角に折り曲げ、さらに前記下蓋片（７）の下端に折り目線（ｇ）を介して連設されている差し込み片（８）を内側に直角に折り曲げて該箱本体（Ａ）の底部に差込み、図４に示すように、箱本体（Ａ）と開閉頭部（Ｂ）とからなるタバコ（図示せず）が収納された紙箱（開封状態）を完成させた。
【００５８】
本発明の紙箱の再封緘性を評価したところ、ストッパー片（６）がロック機構穴（１８）を有する前側内壁（１２）と前側外壁（１１）の間隙にロック機構穴（１８）から入り込みロックされ完全に再封緘された。したがって、中身の飛び出しもなく、また封緘時にクリック感がもたらされた。さらに、ストッパー片（６）の位置が該箱本体（Ａ）の表面板（１）の上端より、一段下がった所に設けられているので開口部が拡大して中身の取り出しが容易になった。
【図面の簡単な説明】
【００５９】
【図１】本発明に係る紙箱のブランクの１実施例を示す平面図である。
【図２】図１のブランクを組み立てた紙箱を開封状態で示す斜視図である。
【図３】本発明に係る紙箱のブランクのその他の実施例を示す平面図である。
【図４】図２のブランクを組み立てた紙箱を開封状態で示す斜視図である。
【符号の説明】
【００６０】
Ａ・・・箱本体
Ｂ・・・開閉頭部
１・・・表面板
２・・・裏面板
３・・・糊代片
４・・・第１側面板
５・・・第２側面板
６・・・ストッパー片
７・・・下蓋片
８・・・差し込み片
９・・・耳フラップ
１０・・・上蓋
１１・・・前側外壁
１２・・・前側内壁
１３・・・上蓋補強内壁
１４・・・側壁
１５・・・係合片
１６・・・係止用切り込み部
１７・・・係止用突起部
１８・・・ロック機構穴
ａ、ｂ、ｃ、ｄ、ｅ、ｆ、ｇ、ｈ、ｉ、ｊ・・・折り目線
ｋ、ｌ、ｍ、ｏ、ｐ、ｑ、ｒ・・・折り目線
【図１】
2008247398.tif 000003
【図２】
2008247398.tif 000004
【図３】
2008247398.tif 000005
【図４】
2008247398.tif 000006